(57)【特許請求の範囲】
【請求項１】
台板部と、この台板部に沿って設けたガイドレールと、このガイドレールに沿って摺動可能に取り付けたホルダーと、このホルダーを前記ガイドレールに沿って摺動させる駆動手段とを有し、前記ホルダーに取り付けられ該ホルダーの摺動動作に伴って回転する駆動丸刃と丸刃によって粘着ロール紙を切断するものにおいて、前記ホルダーに粘着物附着防止オイルの塗布手段を設け、この塗布手段を、前記ホルダーの駆動丸刃の一側部に常時接して設けたところの粘着物附着防止オイルを含ませて成るオイル含浸材と、このオイル含浸材の脱落を防止するために前記駆動丸刃を囲んで前記ホルダーへ取り付けたカバーとで構成したことを特徴とする、ロール紙のカッター装置。
【請求項２】
前記粘着物附着防止オイルがシリコンオイルであることを特徴とする、請求項１に記載のロール紙のカッター装置。
【請求項３】
前記オイル含浸材がスポンジであることを特徴とする、請求項１乃至２のいずれかに記載のロール紙のカッター装置。
【発明の詳細な説明】
【０００１】
【発明の属する技術分野】
この発明は、粘着ロール紙を適当な長さに切断する際に用いて好適なロール紙のカッター装置に関する。
【０００２】
【従来の技術】
従来、例えばこの出願人の出願に係る特開平８−２６７３９１号に示されているように、台板部と、この台板部に沿って設けたガイドレールと、このガイドレールに摺動自在に取り付けたホルダーと、このホルダーを前記ガイドレールに沿って摺動させる駆動手段と、前記ホルダーに取り付けられ該ホルダーの摺動動作に伴って回転する丸刃と、この丸刃と該丸刃に取り付けられた丸刃押えとの間に外周部を嵌入させて前記ホルダーへ回転自在に取り付けられた駆動丸刃とから成り、この駆動丸刃と前記丸刃との間に交叉位置をロール紙送り面と略一致させたロール紙のカッター装置が公知である。
【０００３】
【発明が解決しようとする課題】
この従来公知のロール紙のカッター装置は、通常のロール紙を裁断する時には、何らの問題も生じないが、ロール紙に粘着剤を塗布させてある粘着ロール紙の場合には、裁断を繰り返すうちに粘着剤が駆動丸刃に附着し、切れ味が悪くなると共に、駆動丸刃のスムーズな回転が阻害されるという問題が生じた。
【０００４】
この発明の目的は、粘着ロール紙を裁断しても、駆動丸刃に極力粘着剤が附着しないように工夫することによって、駆動丸刃の寿命を長く延ばすことのできる、ロール紙のカッター装置を提供せんとするにある。
【０００５】
【課題を解決するための手段】
上述した目的を達成するためにこの発明は、台板部と、この台板部に沿って設けたガイドレールと、このガイドレールに沿って摺動可能に取り付けたホルダーと、このホルダーを前記ガイドレールに沿って摺動させる駆動手段とを有し、前記ホルダーに取り付けられ該ホルダーの摺動動作に伴って回転する駆動丸刃と丸刃によって粘着ロール紙を切断するものにおいて、前記ホルダーに粘着物附着防止オイルの塗布手段を設け、この塗布手段を、前記ホルダーの駆動丸刃の一側部に常時接して設けたところの粘着物附着防止オイルを含ませて成るオイル含浸材と、このオイル含浸材の脱落を防止するために前記駆動丸刃を囲んで前記ホルダーへ取り付けたカバーとで構成したことを特徴とする。
【０００６】
その際にこの発明は、粘着物附着防止オイルとして、シリコンオイルを用いたり、或は、オイル含浸材としてスポンジを用いることができる。
【０００７】
【発明の実施の形態】
以下にこの発明の一実施の形態を図面に基いて詳細に説明する。
【０００８】
図１乃至図５において、指示記号１は台板部であり、この台板部１に沿って該台板部１の縁部を長手方向に折り曲げることによりガイドレール２が一体に形成されている。尚、このガイドレール２は台板部１と別体に設けることができる。指示記号３はガイドレール２に沿って摺動自在となるように設けたホルダーであり、このホルダー３に設けた丸刃収納部４内には、とくに図５に示したように、丸刃５が回転自在に軸支されている。ホルダー３にはさらに丸刃収納部４の下側に位置して駆動丸刃取付部６が設けられ、この駆動丸刃取付部６内には、駆動丸刃７が軸部８を介して回転自在に軸支されている。
【０００９】
指示記号９はホルダー３の駆動手段であり、この駆動手段９は、台板部１の一側部に固着した取付板１０に取り付けた駆動モータ１１と、この駆動モータ１１によって回転させられる同じく台板部１の一側部に回転可能に軸着された駆動プーリ１２と、台板部１の他側部に回転可能に軸着させた従動プーリ１３と、この従動プーリ１３と駆動プーリ１２との間に懸架された途中にホルダー３を連結したエンドレスベルト１４とで構成されている。尚、このエンドレスベルト１４は、ワイヤー、ロープ、チェーン等の公知の駆動力伝達手段に代えても良い。尚、駆動プーリ１２には駆動ギヤ１５が一体に設けられ、駆動モータ１１のピニオンギア１６と噛合している。
【００１０】
図６はホルダー３の摺動位置の検出手段を示し、２０はＣＰＵ、２１は駆動モータ１１の駆動回路、２２は駆動モータ１１の負荷検出回路であり、例えばオペアンプを用いたコンパレーター等で構成されている。
【００１１】
再び図１乃至図５に示したように、指示記号２５は粘着物附着防止オイルの塗布手段であり、この塗布手段２５は、ホルダー３に取り付けた駆動丸刃７の一部を囲んで該ホルダー３に取り付けたカバー２６と、駆動丸刃７に接して該駆動丸刃とカバー２６との間に収容させた例えばスポンジのようなオイル含浸材２７と、このオイル含浸材２７に滲み込ませた図示してない例えばシリコンオイルのような粘着物附着防止オイルとから成る。
【００１２】
したがって、図５に示したように、送り駆動ローラ１７と送り従動ローラ１８を介してロール紙送り面１８ａ上を搬送されて来る印刷済みの粘着ロール紙１９が適当な長さになった時に、図６に示したように、ＣＰＵ２０を介して駆動モータ１１の駆動回路２１がＯＮされ、その回転駆動力は駆動プーリ１２を介してエンドレスベルト１４へ伝達される。エンドレスベルト１４がホルダー３をガイドレール２に沿って摺動させると、丸刃５は回転しつつ粘着ロール紙１９の側部に達する。すると、駆動丸刃７は粘着ロール紙１９によって押されて丸刃５とは反対方向へ回転し、丸刃５と駆動丸刃７との間で粘着ロール紙１９を挟み込むようにして垂直方向へ切断する。この際に丸刃５のローラ部５ａは粘着ロール紙１９を押えつつ回転移動することになる。
【００１３】
摺動したホルダー３が台板部１の端部に設けたストッパー片１ａに当接することによって駆動モータ１１の負荷電流が増大し、これを負荷検出回路２２が検知することによって、ホルダー３の終点位置が検出され、ＣＰＵ２０へ検知信号を送ることによって該ＣＰＵ２０が駆動回路２１へ信号を送り駆動モータ１１の回転方向を逆方向へ変えるので、ホルダー３は先ほどとは逆方向に摺動して出発位置に戻る。この際に、ホルダー３がストッパー１０ａに当接することによって、駆動モータ１１の負荷電流が増大し、これを負荷検出回路２２が検出して上述したようにホルダー３の出発点位置が検出され、ＣＰＵ２０を介して駆動回路２１がＯＦＦされる。そして、駆動丸刃７はその一部を常にオイル含浸材２７に当接させているので、ホルダー３の摺動動作に伴いその表面に該オイル含浸材２７の中に含浸されている粘着物附着防止材オイルを塗布させるものである。尚、駆動丸刃７はオイル含浸材２７の間に挟み込まれるように構成しても良い。
【００１４】
さらに、丸刃５にはこの丸刃５と接触している駆動丸刃７に附着した粘着物付着防止オイルが乗り移って塗布され、粘着テープの粘着物がこの丸刃５に附着するのが防止される。
【００１５】
また、以上の説明は、塗布手段によって粘着ロール紙を切断する手段に丸刃５と駆動丸刃７を組み合わせ、駆動丸刃７に粘着物防止オイルを塗布させる場合について説明したが、丸刃５に粘着物附着防止オイルを塗布させてもよい。
さらに、粘着ロール紙を切断する手段として、丸刃、あるいは駆動丸刃に相当するものを一個用いるものにもそのまま適用できる。
【００１６】
【発明の効果】
この発明は以上のように構成したので、次のような効果を奏し得る。
【００１７】
請求項１によれば、具体的な構成を持つ、とくに粘着ロール紙のカッター装置において、簡単な構成で、駆動丸刃が粘着ロール紙を切断するために往復動作するにつれて該駆動丸刃に粘着物附着防止オイルが自動的に塗布されることにより、粘着物が駆動丸刃へ附着することが防止されるので、長時間使用することにより、カッター装置の切れ味が落ちてしまうことがないという効果を奏し得る。
【００１８】
請求項２によれば、粘着物附着防止オイルをシリコンオイルとすると、その特性により、粘着物の駆動丸刃への附着を極めて効果的に防止し、駆動丸刃の寿命を従来の１０，０００回程度の切断寿命から３００，０００回以上の切断寿命というように大幅に延ばすことができるものである。
【００１９】
請求項３によれば、駆動丸刃の切れ味を鈍らせることなく、含浸させたオイルの保持性を高めることができるという効果を奏し得る。
【図面の簡単な説明】
【図１】本願発明に係るロール紙のカッター装置の一部欠載の斜視図である。
【図２】図１に示した本願発明に係るロール紙のカッター装置の一部欠載の正面図である。
【図３】図１に示した本願発明に係るロール紙のカッター装置の一部欠載の平面図である。
【図４】図１に示した本願発明に係るロール紙のカッター装置の粘着物附着防止オイルの塗布手段の分解斜視図である。
【図５】図１に示したこの発明に係るロール紙のカッター装置の側断面図である。
【図６】図１に示した本願発明に係るロール紙のカッター装置におけるホルダーの出発位置と終点位置を検出する検出手段を説明するためのブロック図である。
【符号の説明】
１  台板部
２  ガイドレール
３  ホルダー
４  丸刃収納部
５  丸刃
６  駆動丸刃取付部
７  駆動丸刃
９  駆動手段
１１  駆動モータ
１２  駆動プーリ
１３  従動プーリ
１４  エンドレスベルト
１９  粘着ロール紙
２５  塗布手段
２６  カバー
２７  オイル含浸材
【図１】
0003612283.tif 000002
【図２】
0003612283.tif 000003
【図３】
0003612283.tif 000004
【図４】
0003612283.tif 000005
【図５】
0003612283.tif 000006
【図６】
0003612283.tif 000007